(57)【要約】【課題】  簡単な構成により、二つ以上の信号を相互に連動して調整することができるようにした複合型可変抵抗器を提供する。【解決手段】  固定配置された抵抗部１１と、抵抗部に対して摺動可能に支持された可動接点部２０と、を含み、抵抗部が、互いの表面が平行な状態で固定配置された複数の抵抗体１２，１３，１４から構成され、複数の抵抗体はそれぞれ、固定端子部１２ｄを備えており、表面には抵抗を介して固定端子部に接続された複数の導体部を有していて、可動接点部は、複数の抵抗体に対応し、それぞれ対応する抵抗体の表面に沿って摺動可能に支持された複数の接点２３，２４，２５を備えていて、複数の接点が互いに連結され且つ一つの可動端子部２６に電気的に接続されており、可動接点部を抵抗体の表面に対して平行移動することにより、可動接点部の可動端子部と各抵抗体の先端に設けられた接点との間の各抵抗値が調整されるように、複合型可変抵抗器１０を構成する。【選択図】図１
2011114260.tif 000002
【特許請求の範囲】
【請求項１】
固定配置された抵抗部と、前記抵抗部に対して摺動可能に支持された可動接点部と、を含んでおり、
前記抵抗部は、互いの表面が平行な状態で固定配置された複数の抵抗体から構成されていて、
前記複数の抵抗体はそれぞれ、固定端子部を備えており、前記表面には抵抗を介して前記固定端子部に接続された複数の導体部を有していて、
前記可動接点部は、前記複数の抵抗体に対応し、それぞれ対応する前記抵抗体の表面に沿って摺動可能に支持された複数の接点を備えていて、
前記複数の接点が互いに連結され且つ一つの可動端子部に電気的に接続されており、
前記可動接点部を前記各抵抗体の表面に対して平行移動することにより、前記可動接点部の可動端子部と各抵抗体の固定端子部に設けられた接点との間の各抵抗値が調整される
ことを特徴とする、複合型可変抵抗器。
【請求項２】
前記抵抗体が、面上に放射状に固定配置され、
前記各抵抗体は、放射状の中心と反対側の一端に前記固定端子部を備え、
前記抵抗部の各抵抗体が、それぞれ前記可動接点部の接点の移動範囲に対応して、放射状の中心から外側に向かって幅が狭くなるように形成されていることを特徴とする、請求項１に記載の複合型可変抵抗器。
【請求項３】
前記導体部は、前記各抵抗体の表面に、所定間隔で平行に延び、前記導体部の一部が前記抵抗子に接続されており、
前記可動接点部の各接点は、対応する抵抗体に対して前記導体部を介して接触することを特徴とする、請求項１または２に記載の複合型可変抵抗器。
【請求項４】
前記導体部が導電性金属または導電性樹脂から構成されていて、前記各導体部の一部に別途、接続用端子部が付加されていることを特徴とする、請求項１から３の何れかに記載の複合型可変抵抗器。
【請求項５】
前記可動接点部が、操作部を備えていることを特徴とする、請求項１から４の何れかに記載の複合型可変抵抗器。
【請求項６】
前記抵抗部の各抵抗体が一つの基板上に一体に形成されていることを特徴とする、請求項１から５の何れかに記載の複合型可変抵抗器。
【発明の詳細な説明】
【技術分野】
【０００１】
本発明は、複数の可変抵抗器を組み合わせた複合型可変抵抗器に関するものである。
【背景技術】
【０００２】
従来、赤色，緑色及び青色の三色のＬＥＤを使用したフルカラーＬＥＤ照明装置において、各色ＬＥＤから出射する赤色光，緑色光及び青色光の混合色の色度を調整する場合、各色ＬＥＤに供給される駆動電流をそれぞれ可変抵抗器により制御して、各色ＬＥＤの発光光度を変化させることにより、混合色の色度を調整している。
【０００３】
例えば、特許文献１においては、ＬＥＤを光源とする照明において、赤色ＬＥＤ，緑色ＬＥＤ，青色ＬＥＤの三原色のＬＥＤを各色毎に複数直列に接続し、各色のＬＥＤに流す電流を、それぞれ調光用可変抵抗器で変化調整することで、各色の光量を別々に細かく調整した後、混合することにより、任意の色彩の照明を実現できるように構成した照明装置が開示されている。
このような構成の照明装置によれば、各色毎に設けられた調光用可変抵抗器をそれぞれ操作して、抵抗値を変更することにより、各色のＬＥＤに流す電流を調整して、各色の発光光量を調整する。これにより、各色のＬＥＤからの光の混合色としての照明を任意の色彩に設定することができる。
【０００４】
また、特許文献２においては、赤，緑の二色ＬＥＤの赤端子が可変抵抗の一方の端子に、また前記ＬＥＤの緑端子が可変抵抗の他方の端子に、それぞれ接続されると共に、当該可変抵抗のスライダ端子が可変電流源に接続されているユニット回路が複数、共通の電源に並列接続されていることを特徴とする、表示装置用回路が開示されている。
このような構成の表示装置用回路によれば、各ＬＥＤに接続された可変抵抗のスライダ端子の位置をセットすることで、赤及び緑の各ＬＥＤの電流配分が一義的に設定され、色度が決定される。また、輝度を調整する場合には、各ＬＥＤに接続されている可変電流源から流入する電流を調整するだけで、既に設定されている赤色及び緑色のＬＥＤの電流配分を変化させることなく輝度のみを独立して自由に調整することができる。
【先行技術文献】
【特許文献】
【０００５】
【特許文献１】登録実用新案第３１０１５０４号公報
【特許文献２】実公平０４−００６０７５号公報
【発明の概要】
【発明が解決しようとする課題】
【０００６】
しかしながら、特許文献１による照明装置においては、所望の色彩の照明を実現することは可能であるが、各色毎に調光用可変抵抗器を操作して、各色の光量を調整する必要がある。このため、所望の色彩を得るための各色毎の光量調整の作業性が悪く、正確に所望の色彩の照明を得ることは難しかった。
【０００７】
また、特許文献２による表示装置用回路においては、二色のＬＥＤに供給される電流配分が可変抵抗のスライダ端子の位置により一義的に決定され、色度が決定されると共に、可変電流源の出力電流を調整することにより、混合色の輝度が調整されるが、三色以上のＬＥＤを有する表示装置や照明装置における色度の調整を行なうことはできず、またこのような可変抵抗の両端とスライダ端子との間の抵抗値の変更調整によっては、三つ以上の信号を相互に連動して調整することはできない。
【０００８】
本発明は、以上の点に鑑み、簡単な構成により、二つ以上の信号を相互に連動して調整することができるようにした複合型可変抵抗器を提供することを目的としている。
【課題を解決するための手段】
【０００９】
上記目的は、本発明によれば、固定配置された抵抗部と、抵抗部に対して摺動可能に支持された可動接点部と、を含んでおり、抵抗部は、互いの表面が平行な状態で固定配置された複数の抵抗体から構成されていて、複数の抵抗体はそれぞれ、固定端子部を備えており、表面には抵抗を介して固定端子部に接続された複数の導体部を有していて、複数の抵抗体は、互いの固定端子部が異なる向きになるように配置され、可動接点部は、複数の抵抗体に対応し、それぞれ対応する抵抗体の表面に沿って摺動可能に支持された複数の接点を備えていて、複数の接点が互いに連結され且つ一つの可動端子部に電気的に接続されており、可動接点部を各抵抗体の表面に対して平行移動することにより、可動接点部の可動端子部と各抵抗体の固定端子部に設けられた接点との間の各抵抗値が調整されることを特徴とする、複合型可変抵抗器により、達成される。
【００１０】
本発明による複合型可変抵抗器は、好ましくは、面上に放射状に固定配置され、各抵抗体は、放射状の中心と反対側の一端に固定端子部を備え、抵抗部の各抵抗体が、それぞれ可動接点部の接点の移動範囲に対応して、放射状の中心から外側に向かって幅が狭くなるように形成されている。
【００１１】
本発明による複合型可変抵抗器は、好ましくは、導体部が、各抵抗体の表面に、所定間隔で平行に延び、導体部の一部が抵抗子に接続されており、可動接点部の各接点は、対応する抵抗体に対して導体部を介して接触する。
【００１２】
本発明による複合型可変抵抗器は、好ましくは、導体部が導電性金属または導電性樹脂から構成されていて、各導体部の一部に別途、接続用端子部が付加されている。
【００１３】
本発明による複合型可変抵抗器は、好ましくは、可動接点部が、操作部を備えている。
【００１４】
本発明による複合型可変抵抗器は、好ましくは、抵抗部の各抵抗体が一つの基板上に一体に形成されている。
【発明の効果】
【００１５】
上記構成によれば、可動接点部を面に沿って移動することにより、可動接点部が抵抗部に対して平面内の二軸方向の任意位置に移動する。これにより、可動接点部の各接点が、それぞれ対応する抵抗体に対して摺動し、所定位置で接触することになる。
従って、可動接点部を抵抗部に対して平面内の二軸方向に適宜に移動調整することにより、可動接点部の各接点は、それぞれ対応する抵抗体と所定位置で接触する。これにより、可動接点部の可動端子部と各抵抗体の固定端子部との間の抵抗値がそれぞれ調整される。
【００１６】
そして、可動接点部を抵抗部に対して、例えば一つの抵抗体の長手方向に可動接点部を移動することにより、当該抵抗体の抵抗値が調整される。従って、調整したい抵抗体の長手方向に沿って可動端子部を移動させることによって、当該抵抗体の抵抗値が調整され、その際他の抵抗体の抵抗値も変化することになるが、その変化量は、当該抵抗体の抵抗値の変化量と比較して小さいので、概略的に当該抵抗体の抵抗値のみが変化することになる。このため、各抵抗体の固定端子部と可動接点部の可動接点部との間の各抵抗値をそれぞれ互いに連動して直感的に調整することができる。
【００１７】
このようにして、本発明によれば、簡単な構成により、二つ以上の信号を相互に連動して調整することができるようにした複合型可変抵抗器を提供することができる。
【図面の簡単な説明】
【００１８】
【図１】本発明による複合型可変抵抗器の一実施形態の構成を示す概略平面図である。
【図２】図１の複合型可変抵抗器の部分断面図である。
【図３】図１の複合型可変抵抗器における抵抗部を構成する一つの抵抗体を示す平面図である
【図４】図１の複合型可変抵抗器における可動接点部を示す平面図である。
【図５】図３の抵抗体における先端の固定端子部から中心への距離と抵抗値との関係を示すグラフである。
【図６】図１の複合型可変抵抗器の等価回路図である。
【図７】図１の複合型可変抵抗器を組み込んだフルカラーＬＥＤ照明装置の構成例を示すブロック図である。
【発明を実施するための形態】
【００１９】
以下、図面に示した実施形態に基づいて本発明を詳細に説明する。
【００２０】
図１から図４は、本発明による複合型可変抵抗器の一実施形態の構成を示している。
複合型可変抵抗器１０は、固定配置された抵抗部１１と、可動接点部２０と、から構成されている。
抵抗部１１は、図示の場合、同じ構成の三つの抵抗体１２，１３，１４から構成されており、各抵抗体１２，１３，１４は、基板１５上において、中心Ｏに対して互いに等角度間隔（図示の場合、１２０度間隔）で放射方向に延びるように配置されている。
【００２１】
各抵抗体１２，１３，１４は、同じ構成であるので、以下、抵抗体１２について図２及び図３を参照して説明する。
図２及び図３において、抵抗体１２は、基板１２ｂと、基板１２ｂの表面に設けられた抵抗１２ａと、抵抗１２ａに接続された複数の導体部１２ｃと、さらに中心Ｏとは反対側の先端に設けられた固定端子部１２ｄとから構成されている。
【００２２】
基板１２ｂは、平板状の絶縁材料から構成されており、ほぼ正三角形の外形を有している。ここで、基板１２ｂは、その底辺側が基板１５の中心Ｏ側に位置するように、且つその中心線が基板１５の中心Ｏを通るように、基板１５上に配置される。
【００２３】
抵抗１２ａは、例えば基板１２ｂの一辺に沿って形成された板状の抵抗体材料から構成されている。
【００２４】
導体部１２ｃは、抵抗１２ａの上に形成された耐摩耗性の金属材料から構成されている。
ここで、導体部１２ｃは、中心Ｏを通る中心軸に対して垂直に延びるように、そして互いに平行に軸方向に所定の間隔で、全体として櫛状に配置された複数の導体部から構成されている。
また、個々の導体部は、基板１２ｂの外形である正三角形の底辺から離れるにつれて、すなわち固定端子部１２ｄに近づくにつれて、その外形に従って、短くなっている。
さらに、各導体部１２ｃの表面は、基板１２ｂの表面と平行に平滑仕上げされており、後述するように、可動端子部２０の接点が摺動しやすく且つ良好に接触し得るように形成されている。
【００２５】
固定端子部１２ｄは、導電性材料から構成されており、その一端が抵抗１２ａの中心Ｏとは反対側の端縁に電気的に接続されていると共に、他端に接続用の接続用端子部１２ｅを備えている。
これにより、固定端子部１２ｄは、その接続用端子部１２ｅに配線用のコードの先端がからげられ、ハンダ付け等により固定され、電気的に接続される。
【００２６】
これに対して、可動接点部２０は、図２及び図４に示すように構成されている。
図２及び図４において、可動接点部２０は、基板２１と、基板２１の裏面に設けられた導体部２２と、導体部２２の表面に設けられた接点２３，２４，２５と、さらに一つの頂点の反対側から突出する可動端子部２６と、基板２１の表面に設けられた操作部２７と、から構成されている。
【００２７】
基板２１は、上述した抵抗部１１の各抵抗体１２，１３，１４の配置に対応した形状、即ち図示の場合正三角形の形状を有している。即ち、基板２１の中心が基板１５の中心Ｏ上に位置しているとき、基板２１の各頂点は、それぞれ抵抗体１２，１３，１４の中心に一致するように、形成されている。
ここで、基板２１は、上述した抵抗部１１に対して、基板１５の表面に沿って平行移動可能に、図示しない支持機構によって支持されている。
【００２８】
導体部２２は、基板２１の裏面の全体または一部において、例えば薄膜の導電性材料から構成されている。図示の場合、導体部２２は、基板２１の表面において、その周縁に沿って配置されている。
【００２９】
各接点２３，２４，２５は、それぞれ基板２１の裏面において、その頂点付近で導体部２２の表面に配置されている。
これにより、各接点２３，２４，２５は、導体部２２を介して互いに電気的に接続されている。
【００３０】
さらに、各接点２３，２４，２５は、上述した抵抗部１１の各抵抗体１２，１３，１４の配置に対応して、即ち例えば可動接点部２０が基板１５の中心Ｏに対応した中立位置に在るとき、それぞれ各抵抗体１２，１３，１４の中心付近に位置するように、構成されている。
これにより、可動接点部２０が抵抗部１１に対して平行移動するとき、可動接点部２０の各接点２３，２４，２５が、それぞれ対応する抵抗体１２，１３，１４の表面全体に亘って移動し得ると共に、対応する抵抗体１２，１３，１４の櫛状の導体部の間の溝部に嵌入することにより、容易に移動しないように半固定状態で保持される。
【００３１】
可動端子部２６は、導電性材料から構成されており、その一端が導体部２２の端縁に電気的に接続されていると共に、他端が基板２１から突出している。
また、可動端子部２６は、その突出部分に配線用のコードの先端がハンダ付け等により固定され、電気的に接続される。
これにより、可動端子部２６は、可動接点部２０の導体部２２を介して各接点２３，２４，２５と電気的に接続されることになる。
【００３２】
操作部２７は、基板２１の表面または端縁に対して取り付けられており、操作部２７を基板１５の表面に沿って移動操作することにより、可動接点部２０を抵抗部１１に対して平行移動させることができる。
【００３３】
本発明実施形態による複合型可変抵抗器１０は、以上のように構成されており、以下のように動作する。
可動接点部２０の各接点２３，２４，２５は、それぞれ抵抗部１１の対応する抵抗体１２，１３，１４の表面に対して当接している。より具体的には、各接点２３，２４，２５は、それぞれ対応する抵抗体１２，１３，１４の抵抗に対して導体部を介して当接している。
これにより、可動接点部２０の各接点２３，２４，２５は、それぞれ当接位置から導体部，抵抗を介して固定端子部に電気的に接続される。その際、当接位置から固定端子部までの抵抗の長さに応じて、抵抗値が一義的に決まることになる。
【００３４】
例えば、抵抗部１１の抵抗体１２においては、固定端子部１２ｄと対応する可動接点部２０の接点２３が当接する導体部１２ｃとの間における抵抗１２ａの長さＬにより、図５に示すように、固定端子部１２ｄと可動接点部２０の可動端子部２６との間の当該抵抗体１２の抵抗値Ｒが一義的に決まる。
このようにして、各抵抗体１２，１３，１４は、可動接点部２０と共に、図６の等価回路で示すように、互いに連動する三つの可変抵抗器を構成する。
これにより、抵抗部１１の各抵抗体１２，１３，１４に対する可動接点部２０の接点２３，２４，２５の当接位置に応じて、各抵抗体１２，１３，１４における固定端子部と可動接点部２０の可動接点部との間の抵抗値が互いに連動して調整される。
【００３５】
この状態から、可動接点部２０の操作部２７が操作されることにより、可動接点部２０が基板１５の表面に沿って二次元方向に移動調整される。
これに伴って、可動接点部２０の移動方向及び移動量に基づいて、可動接点部２０の各接点２３，２４，２５の対応する抵抗体１２，１３，１４に対する当接位置が変化する。これにより、各接点２３，２４，２５の抵抗体１２，１３，１４への当接位置からそれぞれ固定端子部までの距離Ｌが変化し、抵抗値Ｒが調整される。
【００３６】
従って、例えば抵抗体１２により調整すべき信号等について、抵抗値Ｒを調整したい場合には、抵抗体１２の中心軸方向に沿って可動接点部２０の操作部２７を操作することにより、抵抗体１２に関する抵抗値Ｒを調整することができるので、各抵抗体１２，１３，１４により調整すべき信号等を容易に短時間で直感的に調整することができる。
尚、操作部２７の操作による可動接点部２０の移動に伴って、例えば抵抗体１２の中心軸方向に可動接点部２０を移動させたとき、可動接点部２０の接点２４，２５もそれぞれ抵抗体１３，１４に対して移動することになる。これにより、抵抗体１３，１４に関する抵抗値も変動することになるが、その変化量は抵抗体１２に関する抵抗値Ｒの変化と比較して小さい。従って、全体としては、主として抵抗体１２に関する抵抗値Ｒを調整することができる。
【００３７】
このようにして、抵抗部１１の各抵抗体１２，１３，１４の固定端子部と可動接点部２０の可動端子部２６との間の三つの抵抗値が、可動接点部２０の操作部２７を操作することにより、互いに連動して調整される。従って、抵抗部１１の各抵抗体１２，１３，１４の固定端子部と可動接点部２０の可動端子部２６との間に印加される信号等に関して、可動接点部２０の各接点２３，２４，２５の当接位置に基づいて一義的に決まる抵抗値により、電流が調整される。
ここで、可動接点部２０の各接点２３，２４，２５は、それぞれ対応する抵抗体１２，１３，１４の表面全体に亘って移動可能であるので、抵抗体１２，１３，１４の抵抗値がゼロから最大値まで効率的に調整可能である。
【００３８】
その際、調整すべき信号等に関する抵抗体１１，１２または１３の中心軸方向に操作部２７を移動することによって、各信号等が容易に且つ直感的に調整され得る。
さらに、操作部２７の操作終了後は、可動接点部２０の各接点２３，２４，２５が対応する抵抗体１２，１３，１４の櫛状の導体部の間の溝内で係止され半固定されるので、調整した各抵抗体１２，１３，１４の抵抗値が安定した状態で保持される。
【００３９】
この場合、抵抗体１２，１３，１４の導体部１２ｃが櫛状に形成されているので、接点２３，２４，２５の当接位置による抵抗体１２，１３，１４の抵抗値は、接点２３，２４，２５が櫛状の導体部の何れかに当接して、段階的に調整されることになる。
尚、可動接点部２０の各接点２３，２４，２５は、それぞれ抵抗体１２，１３，１４の抵抗に介して導体部を介して当接するので、接点２３，２４，２５の直接接触による摩耗のおそれがなく、導体部が金属材料から構成されていることにより、低コストで構成され得る。
【００４０】
図７は、上述した本発明による複合型可変抵抗器１０を使用したフルカラーＬＥＤ照明装置の構成例を示している。
図７において、フルカラーＬＥＤ照明装置３０は、赤色，緑色，青色の三色のＬＥＤを使用した照明装置であって、各色のＬＥＤに流れる駆動電流を調整することにより、各色のＬＥＤの発光光量を調整して、全体の混合色の色度を調整するものである。
【００４１】
フルカラーＬＥＤ照明装置３０は、三色、即ち赤色，緑色及び青色の各色の発光部３１，３２，３３と駆動回路３４と、複合型可変抵抗器１０と、から構成されている。
【００４２】
各色の発光部３１，３２，３３は、それぞれ公知の構成であって、例えば基板上に実装された少なくとも一つのＬＥＤから構成されている。赤色発光部３１は、少なくとも一つの赤色ＬＥＤを備え、緑色発光部３２は、少なくとも一つの緑色ＬＥＤを備え、青色発光部３３は、少なくとも一つの青色ＬＥＤを備えている。
そして、各色の発光部３１，３２，３３がそれぞれ最大駆動電流で駆動されるとき、互いにほぼ同じ光量で発光するように、それぞれＬＥＤの特性に基づいてＬＥＤの個数が選定されている。
【００４３】
駆動回路３４は、公知の構成のＬＥＤ駆動用の駆動回路であって、各色の発光部３１，３２，３３に対して例えばパルス状の駆動電流を供給するものである。
そして、駆動回路３４は、その＋側が複合型可変抵抗器１０の可動接点部２０の可動端子部２６に接続されると共に、その−側が各色の発光部３１，３２，３３の−側に接続されている。
【００４４】
複合型可変抵抗器１０は、図１から図４により上述した複合型可変抵抗器１０であって、図示の場合、抵抗部１１の各抵抗体１４，１２，１３の固定端子部が、それぞれ各色の発光部３１，３２，３３の＋側に接続されている。
【００４５】
このような構成のフルカラーＬＥＤ照明装置３０によれば、駆動回路３４から複合型可変抵抗器１０を介して、各色の発光部３１，３２，３３に対して駆動電流が供給され、各色の発光部３１，３２，３３は、それぞれ駆動電流により動作し、発光する。
ここで、複合型可変抵抗器１０の可動接点部２０の操作部２７が、例えば抵抗体１２の固定端子部１２ｄの方向（矢印Ｇ方向）に操作されると、可動接点部２０全体がＧ方向に移動する。これにより、可動接点部２０の各接点２３，２４，２５は、それぞれ対応する抵抗体１２，１３，１４に対してＧ方向に移動する。
【００４６】
従って、特に接点２３の抵抗体１２に対する移動による抵抗値Ｒの変化量が大きく、また他の抵抗体１３，１４に対する接点２４，２５の移動による抵抗値の変化量は小さい。これにより、抵抗体１２に関する抵抗値Ｒの変化により、駆動回路３４からの駆動電流Ｉのうち、抵抗体１２を流れる駆動電流Ｉｇが大幅に増大する。同時に、他の抵抗体１２，１３に関する抵抗値の小さな変化により、抵抗体１３，１４を流れる駆動電流Ｉｂ，Ｉｒが僅かに減少し、駆動電流Ｉｂ，Ｉｒの減少量は互いにほぼ同じである。
【００４７】
このようにして、可動接点部２０の操作部２７を矢印Ｇ方向、即ち緑色の発光部３２の駆動電流Ｉｇを制御するための抵抗体１２の軸方向に移動することにより、緑色発光部３２に供給される駆動電流Ｉｇが増大して、緑色の発光部３２からの緑色の発光量が増大し、各色の発光部３１，３２，３３からの赤色光，緑色光及び青色光の混合色に関して緑色が増大することになる。
その際、赤色発光部３１及び青色発光部３２に供給される駆動電流Ｉｒ及びＩｂは僅かに減少するが、その減少量は、緑色の増大量と比較して無視できる程度であると共に、赤色発光部３１及び青色発光部３３からの赤色及び青色のバランスは変わらないので、見かけ上は、緑色光のみが増大するように観察される。
【００４８】
従って、緑色光に関する抵抗体１２の方向に操作部２７を移動させることにより、容易に且つ直感的に混合色の緑色に関する色調整を行なうことができる。
同様にして、赤色光に関する抵抗体１４の方向に操作部２７を移動させることにより、赤色光を増大させ、また青色光に関する抵抗体１３の方向に操作部２７を移動させることにより、青色光を増大させることができる。
かくして、可動接点部２０の操作部２７を色味を強くしたい光に関する抵抗体１２，１３または１４の固定端子部の方向に移動させることにより、各色の発光部３１，３２，３３からの混合色の色度を容易に且つ直感的に調整することができる。
【産業上の利用可能性】
【００４９】
本発明はその趣旨を逸脱しない範囲において様々な形態で実施することができる。
例えば、図１から図４に示した複合型可変抵抗器１０においては、抵抗部１１は三つの抵抗体１２，１３，１４を備えているが、これに限らず、二つ以上の抵抗体を備えており、これらの抵抗体が基板１５の中心Ｏに関して等角度間隔で放射状に配置されていてもよい。  
これにより、各抵抗体により、それぞれ抵抗値が調整され、対応する信号等が電流制御され得る。
【００５０】
上述した実施形態においては、複合型可変抵抗器１０を使用して、フルカラーＬＥＤ照明装置３０の発光部３１，３２，３３の駆動電流を調整して、光の三原色の発光光量を互いに関連して調整してと、照明光の色度を調整するように構成されているが、これに限らず、照明装置以外の発光装置等の色度調整を行なうことも可能である。
また、例えば複数の抵抗体を備え、各抵抗体によりそれぞれ一つのスピーカの音量を調整することにより、複数のスピーカによる音場再生における音源像の定位を容易に且つ直感的に調整することが可能である。
あるいは、複数の抵抗体により、それぞれ一つの信号等の電流を調整することにより、種々の用途の互いに関連する信号等を容易に且つ直感的に調整することが可能である。
【００５１】
上述した実施形態においては、抵抗部１１の各抵抗体１２，１３，１４は、基板１２ｂ上に形成された薄膜状の抵抗１２ａと、その上に形成された櫛状の導体部１２ｃとから構成されているが、これに限らず、抵抗１２ａ自体が耐摩耗性を有する材料から形成されていてもよい。
【００５２】
上述した実施形態においては、可動接点部２０は、その接点２３，２４，２５がそれぞれ対応する抵抗体１２，１３，１４の櫛状の導体部の間の溝内に係止されることにより、抵抗部１１に対して半固定されるようになっているが、これに限らず、可動接点部２０の抵抗部１１に対する半固定のために、他の手段が抵抗部１１側または可動接点部２０側に設けられていてもよい。
【００５３】
上述した実施形態においては、可動接点部２０の導体部２２は、基板２１の裏面の周縁のみに形成されているが、これに限らず、基板２１の裏面全体に形成されていてもよい。
【００５４】
上述した実施形態においては、抵抗部１１の各抵抗体１２，１３，１４は、それぞれ基板１２ｂ上に構成され、基板１５上に配置されているが、これに限らず、各抵抗体１２，１３，１４は、基板１２ｂの代わりに、基板１５上に直接抵抗１２ｃ及び導体部１２ｄが形成されることにより、互いに一体に構成されていてもよい。
【００５５】
以上述べたように、本発明によれば、簡単な構成により、三つ以上の信号を相互に連動して調整することができるようにした複合型可変抵抗器複合型可変抵抗器が提供される。
【符号の説明】
【００５６】
１０    複合型可変抵抗器
１１    抵抗部
１２，１３，１４  抵抗体
１２ａ  抵抗
１２ｂ  基板
１２ｃ  導体部
１２ｄ  固定端子部
１２ｅ  接続用端子部
１５    基板
２０    可動接点部
２１    基板
２２    導体部
２３，２４，２５  接点
２６    可動端子部
２７    操作部
３０    フルカラーＬＥＤ照明装置
３１，３２，３３  発光部
３４    駆動回路
【図１】
2011114260.tif 000003
【図２】
2011114260.tif 000004
【図３】
2011114260.tif 000005
【図４】
2011114260.tif 000006
【図５】
2011114260.tif 000007
【図６】
2011114260.tif 000008
【図７】
2011114260.tif 000009
【手続補正書】
【提出日】平成22年1月21日(2010.1.21)
【手続補正１】
【補正対象書類名】図面
【補正対象項目名】図１
【補正方法】変更
【補正の内容】
【図１】
2011114260.tif 000010
【手続補正２】
【補正対象書類名】図面
【補正対象項目名】図２
【補正方法】変更
【補正の内容】
【図２】
2011114260.tif 000011
【手続補正３】
【補正対象書類名】図面
【補正対象項目名】図３
【補正方法】変更
【補正の内容】
【図３】
2011114260.tif 000012
【手続補正書】
【提出日】平成22年2月3日(2010.2.3)
【手続補正１】
【補正対象書類名】明細書
【補正対象項目名】００５５
【補正方法】変更
【補正の内容】
【００５５】  以上述べたように、本発明によれば、簡単な構成により、三つ以上の信号を相互に連動して調整することができるようにした複合型可変抵抗器が提供される。
【手続補正２】
【補正対象書類名】明細書
【補正対象項目名】００５６
【補正方法】変更
【補正の内容】
【００５６】    Ｏ    中心
１０    複合型可変抵抗器
１１    抵抗部
１２，１３，１４  抵抗体
１２ａ  抵抗
１２ｂ  基板
１２ｃ  導体部
１２ｄ  固定端子部
１２ｅ  接続用端子部
１５    基板
２０    可動接点部
２１    基板
２２    導体部
２３，２４，２５  接点
２６    可動端子部
２７    操作部
３０    フルカラーＬＥＤ照明装置
３１，３２，３３  発光部
３４    駆動回路